(57)【要約】【課題】  本発明は照明システム、特に、自動変化照明効果をもたらすことが可能なアクティブ照明システムに関する。【解決手段】  照明システムは、光源（５０）と、光源が発する光の光路内に配置された偏向器（１０）と、リフレクター（２０）とを備え、リフレクターおよび偏向器の少なくとも一方が、リフレクターおよび偏向器の他方に対して移動可能である。【選択図】図１
2009539215.tif 000002
【特許請求の範囲】
【請求項１】
照明システムであって、光源と、光源が発する光線の光路内に位置する偏向器と、リフレクターと、を備え、リフレクターおよび偏向器の少なくとも一方はリフレクターおよび偏向器の他方に対して移動可能である照明システム。
【請求項２】
リフレクターは反射ファセット面の複数のリングから成り、各リングは放物面の表面から成る請求項１に記載の照明システム。
【請求項３】
複数のリングのそれぞれは焦点距離が異なる放物面からなる請求項２に記載の照明システム。
【請求項４】
リングの焦点距離は光源からの距離に伴い減少する請求項３に記載の照明システム。
【請求項５】
複数のリングの焦点はリフレクターの中心軸に沿って間隔を空けて配置される請求項４に記載の照明システム。
【請求項６】
リフレクターは偏向器に対して移動可能である請求項１から請求項５の何れかに記載の照明システム。
【請求項７】
偏向器に対してリフレクターを周期運動で動かす駆動手段をさらに備える請求項１から請求項６の何れかに記載の照明システム。
【請求項８】
駆動手段はリフレクターと連動するカムを備え、カムが回転されると、偏向器に対してリフレクターを周期運動で動かす請求項７に記載の照明システム。
【請求項９】
カムは偏心円形カムである請求項８に記載の照明システム。
【請求項１０】
カムはモータで駆動される請求項８または請求項９に記載の照明システム。
【請求項１１】
偏向器の形状は円錐形である請求項１から請求項１０の何れかに記載の照明システム。
【請求項１２】
円錐形は正円錐形である請求項１１に記載の照明システム。
【請求項１３】
偏向器の円錐形の頂点は光源に面している請求項１から請求項１２の何れかに記載の照明システム。
【請求項１４】
偏向器の円錐形の軸はリフレクターの軸と一致する請求項１から請求項１３の何れかに記載の照明システム。
【請求項１５】
偏向器の円錐形の軸がリフレクターの軸に対して移動可能である請求項１から請求項１４の何れかに記載の照明システム。
【請求項１６】
拡散器をさらに備える請求項１から請求項１５の何れかに記載の照明システム。
【請求項１７】
拡散器はオパールガラスのディスクを備える請求項１６に記載の照明システム。
【請求項１８】
拡散器は偏向器の円錐形に設置される請求項１６または１７に記載の照明システム。
【請求項１９】
偏向器の円錐形には、光源から発する光の光路に偏向器の円錐形を組み付けるための複数の支持ウェブが射出成形される請求項１から請求項１８の何れかに記載の照明システム。
【請求項２０】
照明システムであって、ハウジングと、ハウジング内に組みつけられた光源と、
少なくとも一つのシャッターとを備え、該シャッターまたは各シャッターが駆動機構と回転可能に接続するアームに取り付けられている照明システム。
【請求項２１】
照明システムは２つのシャッターを備え、各シャッターは別々のアームに取り付けられる請求項２０に記載の照明システム。
【請求項２２】
ハウジングは、光源からの光を放射することができる開口部を含み、シャッターまたは各シャッターは開口部の内側で移動可能である請求項２０または２１に記載の照明システム。
【請求項２３】
駆動機構は少なくとも１つのアームを駆動するためのモータを含む請求項２０から請求項２２の何れかの照明システム。
【請求項２４】
シャッターまたは各シャッターは開口部を挟んで前進したり後退する往復運動で移動するように、モータは複数のアームを周期的な運動で駆動するように配置される請求項２３に記載の照明システム。
【請求項２５】
駆動機構は１組のベベルギヤを備える請求項２３に記載の照明システム。
【請求項２６】
駆動機構はモータの駆動軸に接続された第１のベベルギヤと、少なくとも１つのアームに取り付けられた第２のベベルギヤとを含む請求項２５に記載の照明システム。
【請求項２７】
モータの回転方向を変えるための少なくとも１つのスイッチをさらに備える請求項２３に記載の照明システム。
【請求項２８】
スイッチは少なくとも１つのアームにより作動可能である請求項２７に記載の照明システム。
【請求項２９】
駆動機構は磁気駆動機構を含む請求項２３に記載の照明システム。
【請求項３０】
駆動機構は、アームまたは各アームの端部に取り付けたフェライトプレートを備え、各アームは軸を中心に回転可能に組みつけられ、照明システムはモータの駆動軸に取り付けた一対の磁石をさらに備える請求項２９に記載の照明システム。
【請求項３１】
駆動機構はアームまたは各アームをモータと接続するリンク装置の配列を備える請求項２３に記載の照明システム。
【発明の詳細な説明】
【技術分野】
【０００１】  本発明は、ライトに関する。
【背景技術】
【０００２】  家庭用のアクティブ照明が求められている。アクティブ照明とは、好ましくは、時間をかけて、好ましくはほとんど認識できない程、ゆっくりと、部屋の照明を変えて行く照明器具の一種である。この種の照明は、特殊な環境を創り出すことができ、消費者がそれぞれの家の現代的なデザインを強調したい場合に好ましい。【０００３】  照明器具をモ−タやサーボに接続すると、電球から生じるビームの方向、照度、拡散、色および性質を制御できることが知られている。しかし、この技術は、ほとんど舞台照明の世界やナイトクラブのみで用いられてきたものであり、その結果として、現代的な家の持ち主がその家を先進的な照明方式で飾りたいと望む場合の要件とはかけ離れた要件を考慮してデザインされてきた。
【発明の概要】
【発明が解決しようとする課題】
【０００４】  ビーム角が可変な懐中電灯もよく知られている。例えば、Ｍａｇｌｉｔｅｓ（商標：マグライト）は、パラボラリフレクター内に光源を配置することにより様々な角度でビームを発生する。パラボラリフレクターの位置を、光源に対して、パラボラ軸に沿って移動することが可能である。光源がパラボラの焦点に位置しない限り、パラボラから放射されるビームはドーナッツ形状である。したがって、Ｍａｇｌｉｔｅ（商標）の懐中電灯では、光線を様々なサイズの円形で発生させることはできない。
【課題を解決するための手段】
【０００５】  必要なことは、時間とともに光線の角度を周期的に変え、トランジェント（ｔｒａｎｓｉｅｎｔ：過渡）照明効果を創り出す簡便で、好ましくは、自動化された方法である。これは、複雑な制御機構および／またはプログラミングを用いることなく達成できることが好ましい。【０００６】  本発明は照明システムを提供する。この照明システムは、光源と、光源が発する光線の光路内に配置された偏向器と、リフレクターとを備える。リフレクターおよび偏向器の少なくとも一方は、リフレクターおよび偏向器の他方に対して、移動することが可能である。【０００７】  リフレクターおよび偏向器の少なくとも一方をリフレクターおよび偏向器の他方に対して移動させることにより、ビーム角を変えることができる。形成できるビーム角の範囲は８度から６０度が好ましい。または、形成できるビーム角の範囲は６０度から１５０度が好ましい。照明システムは、交換使用可能なリフレクターを２つ備えることができる。一方のリフレクターは８度から６０度のビーム角を形成し、他方のリフレクターは６０度から１５０度のビーム角を形成することが好ましい。【０００８】  リフレクターは反射ファセット面の複数のリングから成ることが好ましく、各ファセット面は放物面の表面で形成される。好ましくは、各ファセット面は焦点距離が異なる放物面から形成される。したがって、各ファセット面は、ビーム角が異なる光線を生成する。リングの焦点距離は光源からの距離に伴い減少することが好ましく、すなわち、光源から最短距離にあるリングの焦点距離は光源から最も離れているリングの焦点距離よりも長い。したがって、ビーム角は光源からの距離に伴い広がることが好ましい。複数のリングの焦点をリフレクターの中心軸に沿って間隔を空けて配置してもよい。リフレクターはリングを幾つ含んでもよい。好適な実施形態では、リフレクターは１０個のリングを含む。【０００９】  好ましくは、リフレクターは偏向器に対して移動が可能である。好ましくは、照明システムは、偏向器に対してリフレクターを周期運動で動かす駆動手段をさらに備える。より好ましくは、駆動手段はリフレクターと連動するカムを備え、カムが回転されると、偏向器に対してリフレクターを周期運動で動かす。このカムは円形の前後面を有する偏心円形カムから成ってもよい。カムはモータで駆動されることが好ましい。【００１０】  使用時、カムの位置は、カムの円形前面がカムを組み付けたライトハウジングと縦方向において平行に位置するようになっていてもよい。モータの駆動軸は、偏心位置でカムの背面に連結されてもよい。駆動軸はモータのモータプレートから垂直に延びている。モータとモータ軸内の遊びが、垂線を外れた角度でカムを動作させる。したがって、カムを固定したハウジングの表面と垂直、つまり、平行なカムの動作を確保するために、モータプレートを垂線から後方１度に組み付けても良い。【００１１】  偏向器の形状は、好ましくは、円錐形、より好ましくは、正円錐形である。偏向器のコーンの頂点は光源に面していることが好ましい。好ましくは、偏向器のコーンの軸はリフレクターの軸と一致する。偏向器のコーンの軸がリフレクターの軸に対して移動でき、ライトから���射されるビームの方向と形状とを変えてもよい。偏向器のコーンには、光源の光路内に偏向器のコーンを組み付けるための複数の支持リブ又はウェブが射出成形されてもよい。【００１２】  照明システムは、拡散器をさらに備えても良い。好ましくは、拡散器はオパールガラスのディスクを備える。好ましくは、ガラスのオパールの透明度は６０度である。拡散器は偏向器のコーンに組み付けられてよい。【００１３】  任意のタイプの光源が本発明の照明システムと使用できる。最適な光源の例としては、通常の白熱電球、ハロゲン電球や発光ダイオードを挙げることができる。【００１４】  光源が発生した光と熱は、パラボラリフレクターにより偏向器に集めてもよい。これにより、偏向器上に局部的に高温部ができ、偏向器を溶融するかもしれない。【００１５】  この問題を解決するために、光源に最も近い偏向器の表面をアルミニウムで被膜してもよい。アルミニウムの厚さは１．２ｍｍでよい。好適な実施形態において、偏向器は、円錐形の外側の表面に取り付けたアルミニウムのシールドを有する高温ポリカーボネート（ＰＣ）偏向器コーンを備える。シールドは対流により光源からの熱を放散させ、偏向器の局部的な熱を下げることにより、偏向器コーンが溶解しないことを確実なものとする。さらに、ＰＣ偏向器とアルミニウム・シールドとの双方は、アルミニウムの層でさらに被覆されてもよい。アルミニウム層の厚さは、０．００３から０．００５ｍｍの間でよい。【００１６】  または、偏向器は、ポリフェニレンスルフィド（ＰＰＳ）のような熱安定性プラスチック製でもよい。ＰＰＳ偏向器はアルミニウム層でさらに被覆されてもよい。アルミニウム層の厚さは０．００３から０．００５ｍｍの間でもよい。【００１７】  光源から発する熱を放散させ、また照明システムが過熱しないようにするために、照明システムは、冷却空気が照明システムの内部に引き込まれ通過できる通気経路を備えても良い。好ましくは、照明システムは、システムのその他の構成要素が接続されるハウジングを含む。通気経路は、空気をシステムに吸い込み通過させることができる、システムの構成要素に一つ以上の通気孔を形成することにより設けられても良い。【００１８】  本発明の他の実施形態は、ハウジングと、ハウジング内に組み付けた光源と、少なくとも一つのシャッターとを備え、該シャッターまたは各シャッターが駆動機構に回転可能に接続されたアームに組みつけられた照明システムである。【００１９】  好ましくは、照明システムは２つのシャッターを含む。好ましくは、各シャッターは別々のアームに組み付けられ、各アームはハウジングに回転可能に接続される。【００２０】  アームまたは各アームの回転により、シャッターまたは各シャッターは光源に対して移動し、そして、光源から発した光を遮断するように作動することにより、発光ビームの角度を変えるようにすることができる。【００２１】  駆動機構は少なくとも１つのアームを駆動するモータを含むことが好ましい。好ましくは、単一のモ−タが２つのアームを駆動する。好ましくは、モータはアームを周期的な運動で駆動し、シャッターまたは各シャッターが第１位置と第２位置との間を往復運動で移動するようにする��好ましくは、モータはアームを同時に反対方向に駆動する。【００２２】  好ましくは、ハウジングは光源からの光を放出できる開口部を含む。【００２３】  好ましくは、シャッターまたは各シャッターは、照明システムから放射される光線の角度が連続的に増減するように、光源から発している光線内で開口部を挟んで移動できる。好ましくは、シャッターが第１位置にある時に、照明システムから発する光線は、細い帯状の光から成る。好ましくは、シャッターが第２位置にある時に、照明システムから発する光線は、１２０度の扇形の光から成る。【００２４】  光源の位置は、光源から発する光を照明システムのハウジングから外側に向けるリフレクター内でもよい。【００２５】  好ましくは、駆動機構はハウジング内に設けられる。【００２６】  一実施形態において、駆動機構は１組のベベルギヤを備える。具体的には、第１ベベルギヤは双方向モータの駆動軸に接続され、別のベベルギヤは少なくとも１つのアームの各々に取り付けられる。好ましくは、照明システムは、２つのアームを含み、２つのアームは、モータの駆動軸の回転が各アームに取り付けたベベルギヤを反対方向に回転させることによりアームを反対方向に一斉に動かせるように、軸を中心にして回転可能に取り付けられ、第１ベベルギヤの対向する側面に位置する。【００２７】  照明システムは、モータの方向を変えるための第１および第２スイッチをさらに備える。これらのスイッチは、アームの少なくとも一方により作動可能でもよい。これらスイッチはマイクロスイッチから成ってもよい。【００２８】  使用するときには、アームは第１位置で始動する。モータのスイッチを入れ、モータはアームを第２位置まで反対方向に回転させる。アームが第２位置に到達すると、第１スイッチが作動し、モータの方向を逆向きにする。その結果、アームの運動の方向は逆向きになり、アームは第２位置から第１位置に向かって動く。アームが第１位置に到達すると、第２スイッチが作動し、モータの方向を、再び、逆向きにする。そして、周期運動が再び開始される。【００２９】  さらに、スプリングを一方のアームとハウジングとの間に配置してもよい。スプリングは、一定の張力がかかった状態でシャッターを維持し、モータのギヤボックスとベベルギヤのガタを排除することにより、シャッターのスムーズな動きを確保する。【００３０】  他の実施形態では、駆動機構は磁気駆動機構から成る。具体的には、フェライトプレートを各アームの端部に組み付け、各アームを軸中心に回転可能に組み付ける。一対の磁石を一方向モータの駆動軸に連結し、駆動軸の中心軸に対して互いに真向かいに位置する。フェライトプレートはこれら磁石の近くに位置する。【００３１】  使用時には、モータの駆動軸を第１の方向に回転させる。駆動軸の回転により、磁石は駆動軸の中心軸を中心にして回転する。フェライトプレートは磁石に引き寄せられ、磁石の回転が各アームの端部のフェライトプレートを他方のアームの端部のフェライトプレートから遠ざけたり、近づけたりするように往復運動させる。すると、フェライトプレートの運動により、アームとシャッターが往復運動で動き、照明システムから発する光線の角度を連続的に増減させる。【００３２】  駆動機構の別の実施形態では、アームはリンク装置の配列を介してモータに接続される。具体的には、ディスクが単方向モータの駆動軸に接続される。第１リンクの第１端部はディスクに接続され、第１リンクの第２端部は滑動ピボットに接続される。第２リンクおよび第３リンクの第１端部は摺動ピボットに接続され、第２リンクおよび第３リンクの第２端部は第１および第２アームに接続される。アームは互いに接続され、また、静止ピボットを介してハウジングに接続される。【００３３】  使用時、モータの駆動軸の回転がディスクを回転させ、これにより、第１リンクの第１端部が環状経路を追従し、滑動ピボットが往復移動する。滑動ピボットの移動が第２および第３のリンク装置のそれぞれの第１端部を往復移動させ、これにより、アームが固定ピボットを中心に回転し往復運動をする。固定ピボット中心のアームの回転がシャッターを往復に動かし、照明システムから発する光線の角度を連続的に増減させる。【００３４】  駆動機構の全ての実施形態によれば、モータを動作させておくことにより、照明システムから発する光線を連続的に増減できる。または、モータを任意の段階で停止することにより、照明システムから発する光線を特定の角度に設定することができる。
【発明の効果】
【００３５】  本発明の照明システムは、光の大部分がシステムから所望の方向へ反射されるので、従来のシステムよりも著しく高効率である。光は、ドーナッツ形状ではなく、光線の面積にわたり実質的に均一に広がり、リフレクターに反射されることなくシステムから漏洩する光量を極力減らせる。
【図面の簡単な説明】
【００３６】
【図１】  図１は本発明の第１実施形態の斜視図を示す。
【図２】  図２は図１の実施形態の側面図を示す。
【図３】  図３は図１および図２の実施形態の側断面図を示す。
【図４】  図４は図１から図３の実施形態の分解図を示す。
【図５】  図５は本発明の別の実施形態の内部の仕組みの斜視図を示す。
【図６】  図６は図１から図４の実施形態のリフレクターの斜視図を示す。
【図７】  図７は図１から図４および図６のライトから発する光線の変化を示す。
【図８】  図８は図１から図４、図６および図７の実施形態から強度と光が分布する角度との極曲線を示す。
【図９】  図９は図１から図４、図６および図７の実施形態から分散する光の強度と角度との極曲線を示す。
【図１０】  図１０は図１から図４、図６および図７の実施形態から分散する光の強度と角度との極曲線を示す。
【図１１】  図１１は図１から図４、図６および図７の実施形態から分散する光の強度と角度との極曲線を示す。
【図１２】  図１２は図１から図４、図６および図７の実施形態から分散する光の強度と角度との極曲線を示す。
【図１３】  図１３は本発明の別の実施形態の斜視図を示す。
【図１４】  図１４は図１３の実施形態の側断面図を示す。
【図１５】  図１５は本発明の別の実施形態の斜視図を示す。
【図１６】  図１６は、一部を透視図として示した本発明による別の照明システムの斜視図を示す。
【図１７】  図１７は、第１位置における図１６の照明システムの一部の前面図を示す。
【図１８】  図１８は、第２位置における図１７に示す照明システムの一部の前面図を示す。
【図１９】  図１９は、図１６の照明システムの一部の細部の斜視図を示す。
【図２０】  図２０は、図１６の照明システムの一部の前面図を示す。
【図２１】  図２１は、第１位置における図１６の照明システムの別の駆動機構の斜視図を示す。
【図２２】  図２２は、第２位置における図２２に示す駆動機構の斜視図を示す。
【図２３】  図２３は、図１６の照明システムのための４つの異なる位置における更に別の駆動機構の前面図を示す。
【図２４】  図２４は別の照明システムの側面図を示す。
【図２５】  図２５は、図２４の照明システムの前面断面図を示す。
【図２６】  図２６は、反射面が開いた場合の図２４および図２５の照明システムの前面断面図を示す。
【図２７】  図２７は、図２４から図２６の照明システムの斜視図を示す。
【発明を実施するための形態】
【００３７】  次に、図面を参照して本発明の実施形態を一例として具体的に説明する。
【実施例】
【００３８】  本発明の第１実施形態によるライトを図１から図４、図６および図７に示す。このライトは、基部ユニット３０内に組み込まれた光源５０を備える。光源は、１２Ｖ、１００Ｗのハロゲンカプセルを備える。光源はパラボラリフレクター５５に組み付けられる。光源５０がダイクロハロゲン電球を備え、パラボラリフレクターが存在しないということを除けば、図５に示す実施形態は、図１から図４、図６および図７に示すものと同じである。【００３９】  円錐形偏向器１０は、光源５０が発する光線の光路内に位置する。偏向器１０の円錐面は反射性である。光源に最も近い偏向器の表面はアルミニウムで被覆されてもよい。好適な一実施形態では、偏向器は、光源に最も近いコーンの表面に取り付けたアルミニウムのシールドを有する高温ポリカーボネート（ＰＣ）偏向器コーンを備える。ＰＣ偏向器とアルミニウム・シールドとの双方は、他のより薄いアルミニウム層でさらに被覆されてもよい。または、偏向器は、ポリフェニレンスルフィド（ＰＰＳ）のような熱安定性プラスチック製でもよい。ＰＰＳ偏向器は薄いアルミニウム層でさらに被覆されてもよい。【００４０】  円錐形偏向器１０をリフレクター２０が囲む。リフレクター２０は鉢形状で、リフレクター２０の内側の表面は複数のリング形状のファセット面２５で形成される。各リング状ファセット面２５は放物面の表面で形成される。各リング状ファセット面は異なる焦点距離の放物面で形成される。リングの焦点距離は光源からの距離に伴い減少する。リフレクター２０は基部ユニット３０、光源５０および偏向器コーン１０に対して縦方向に移動することができる。リフレクター２０は偏心円形カム４０の縁上に載るように配置される。偏心円形カム４０は基部ユニット３０に組み付けられる。偏心カム４０は基部ユニット３０内に収納されたモータ６０により駆動されてもよい。【００４１】  光源５０はビームを円錐形の偏向器１０に直接当てる。偏向器１０によりビームは反射され光のリングとなり、偏向器１０から外方向に進む。図１から図７に示す実施形態では、コーンの頂点１５と中心軸を真っ直ぐ光源５０に向けている。【００４２】  偏向器１０に反射した光は、複数のリング形状の反射ファセット面２５から成るリフレクター２０の内側の表面に当たる。各ファセット面２５に当たった光はリフレクター２０の上端部から外部に反射される。【００４３】  偏向器１０に反射した光は、偏向器１０に対して特定の垂直レベルでリフレクター２０の内側のリング形状反射ファセット面２５に当たる。したがって、リフレクター２０を偏向器１０に対して上方に垂直移動すれば、光はリフレクター２０のずっと下側の反射リングファセット面２５に反射することになる。【００４４】  各リング状ファセット面の焦点距離が異なるので、偏向器からの光がリングファセット面で反射する角度は、リングごとに異なる。図１から図７に示す実施形態では、光源からの距離に伴い焦点距離が短くなる。そのため、光源から最も遠いファセット面に当たる偏向器からの光は、光源に最も近いファセット面に当たる光よりも、広いビーム角を作る。リフレクター２０の上部と底部の間のリングファセット面を構成する放物線の焦点距離���、上部から底部に向かって徐々に増大する。図示した実施形態では、リフレクターは１０個のリングファセット面を含む。【００４５】  基部ユニット３０はモータ６０と偏心カム４０とを含む。偏心カム４０が回転すると、リフレクター２０はカム４０の縁によって偏向器１０に対して押し上げられてゆく。このように押し上げられてゆくと、リフレクター２０から外に向かって発する光のビーム角が狭まってゆく。さらに、偏心カム４０がさらに回転し、リフレクター２０が偏向器１０に対して下方に移動すると、リフレクター２０から発する光のビーム角は広がる。ビーム角が最大角度と最小角度との間を循環するように、カムは周期運動を引き起こす。【００４６】  カム４０の位置は、その円形前面が基部ユニット３０の側面と縦方向で平行に位置するように配置される。モータ６０はモータプレート６１を介して基部ユニット３０に組みつけられる。カム４０を固定した基部ユニット３０の表面と垂直、つまり、平行なカム４０の動作を確保するために、モータプレート６１を垂線から後方１度に組み付ける。【００４７】  また、基部ユニットは、調光スイッチとして動作する電位差計６２と、変圧器と、オン／オフスイッチ６４とを含む。したがって、電源リードやリモートコントロールに調光スイッチ、オン／オフスイッチまたは変圧器を必要とすることなく、照明システムをコンセントに直接プラグ接続することができる。【００４８】  図８から図１２は、図１から図７に示したライトのリフレクターから分散される光の強度と角度との極曲線を示す。図からわかるように、リフレクターが偏向器に対して下方に移動するにつれ、ビームの角度は図８から図１２のように広がる。角度が広がるにつれ、同じ光量が広がる角度いっぱいに行き渡り、ビームの面積に均等に分散する。【００４９】  図１から図５に示す実施形態において、光線の光路に偏向器コーン１０の位置を保持するように機能するワイヤフレーム７０により、円錐形偏向器１０を基部ユニット３０に取り付ける。ワイヤフレーム７０の一部は、偏向器コーン１０の基部の周りを囲み、ワイヤフレーム７０の他の部分は、光源からコーン１０を離して配置するように脚部として作用する。ワイヤフレーム７０の両端を基部ユニット３０に固定する。この構成の利点は、偏向器コーン１０で反射される光を（光がリフレクター２０によって反射されたときには問題にならないが、２本のワイヤの細い線を除いて）比較的断続させないことである。【００５０】  また、図１３、図１４および図１５に示す実施形態において、円錐形偏向器１０には、基部ユニット３０に偏向器を取り付けるためのリブ又はウェブ７５を射出成形する。リブ又はウェブ７５には、光線の光路に偏向器コーン１０の位置を保持する機能がある。リブまたはウェブ７５は光源からコーン１０を離して配置する作用がある。この構成の利点も、偏向器コーン１０で反射される光を（光がリフレクター２０によって反射されたときには問題にならないが、２本の細い線を除いて）比較的断続させないことである。【００５１】  図１３、図１４および図１５に示す実施形態では、照明システムから発する光の拡散を引き起こすオパールガラス製の拡散器ディスク８０も備えるこ��により、側面からの流出を減らし、より均一な光の分散をもたらす。図示のオパールガラスのオパール透明度は６０％である。【００５２】  図１５で分かるように、光源から発する熱を放散させ、照明システムを過熱させないようにするために、照明システムに、冷却空気を照明システムの内部に引き込み通過させることができる通気経路９５を設けても良い。空気がシステムに吸い込まれ通過できるように、システムの様々な構成要素に通気孔９０を機械または道具類で加工形成することにより、通気経路を設ける。具体的には、基部ユニット３０、および、バルブプレート９２およびガイド管９４を含む照明システムの内部構成内に通気孔９０を形成する。【００５３】  図１６に別の照明システムを示す。この照明システムは、開口部１０２を有するハウジング１００と、ハウジング１００内のリフレクター１１２の内部に組み付けた光源１１０と、一対のシャッター１２０とを備える。各シャッター１２０は、アーム１３０の端部に組み付けられる。それぞれのアーム１３０は、ハウジング１００に接続された軸１３２を中心に回転可能に取り付けられる。モータ１４０はハウジング内に組み付けられる。【００５４】  図１９からよく分かるように、モータは駆動軸１４２を有する。小さいベベルギア１４４は駆動軸に接続され、一対の大きいベベルギア１４６はアーム１３０と連動する軸１３２に組み付けられる。ベベルギア１４４，１４６の配置は、小さいベベルギア１４４が大きいベベルギア１４６の両方と噛合するようになっている。一対のマイクロスイッチ１５０がハウジングの内部に取り付けられる。スプリング１５２は一方のアーム１３０とハウジング１００とに連結される。【００５５】  使用時、両アーム１３０は図１６および図１７に示す第１の位置で始動する。両シャッター１２０はハウジング１００の開口部１０２の内側に位置するので、細い帯状の光が照明システムから発する（図１７参照）。モータのスイッチを入れ、ベベルギヤ１４４，１４６を回転させ、アーム１３０を図１７に示す位置から図１８に示す位置まで軸１３２を中心として互いに反対方向に回動させる。その結果、シャッターが開口部１０２から離れハウジング内に移動し、照明システムから光が広い扇型で放射される（図１８参照）。【００５６】  両アームが第２の位置に達すると、一方のアーム１３０は図２０に示すようなマイクロスイッチの一方１５０ａに当たる。第１スイッチ１５０ａが作動し、モータ１４０の方向を逆向きにする。したがって、両アームの動きの方向は逆向きになり、アームは図１８に示す位置から図１７に示す位置に向かって戻る。そのため、照明システムから発する光ビームの角度は狭まる。両アームが図１７に示す位置に達すると、第２スイッチ１５０ｂが作動し再びモータ１４０の方向を逆向きにする。そして、この周期的な運動が再始動する。スプリング１５２は一方のアーム１３０をハジング１００につなぐことにより、両シャッター１２０を一定の張力で保ち、シャッター１２０のスムーズな動きを確保する。【００５７】  したがって、シャッター１２０はハウジングの開口部１０２を挟んで前進したり後退する往復移動をするので、照明システムから発する光ビームの角度��連続的に増減する。【００５８】  図１６の照明システムのための別の駆動機構を図２１および図２２に示す。駆動機構は磁気駆動機構から成る。具体的には、フェライトプレート１６０が各アーム１３０の端部に組み付けられ、各アーム１３０はベアリング１３４を介して軸１３２を中心に回転可能に装着される。非フェライトディスク１６４は軸を挟んで互いに直線的に対向する２つの磁石１６２を収納し、モータ１４０の駆動軸１４２に連結される。フェライトプレート１６０とディスク１６４との間に小さな間隙が存在するようにプレート１６０を配置する。【００５９】  使用時、両アーム１３０は図１６および図１７に示す第１の位置で始動する。両シャッター１２０はハウジング１００の開口部１０２内に位置するので、細い帯状の光が照明システムから発する（図１７参照）。モータのスイッチが入ると、モータ１４０の駆動軸１４２が第１の方向に回転する。駆動軸１４２の回転により、磁石１６２は駆動軸１４２の周りを回転する。フェライトプレートは磁石に引き寄せられ、その結果、磁石に追従するので、磁石１６２の回転にり、各アーム１３０の端部のフェライトプレート１６０は互いに離間したり近接する往復運動をする。そして、フェライトプレートの運動により、アームとシャッターが往復運動で動き、照明システムから発する光ビームの角度を連続的に増減させることとなる。【００６０】  図１６の照明システムに用いるさらに別の駆動機構を図２３に示す。この機構では、アーム１３０はリンク装置１７１，１７３，１７４の配列を介してモータ１４０に接続される。具体的には、ディスク１７０がモータ１４０の駆動軸１４２と接続される。第１リンク１７１の第１端部はディスク１７０に接続され、第１リンク１７１の第２端部は滑動ピボット１７２に接続される。第２および第３リンク１７３，１７４のそれぞれの第１端部も摺動ピボット１７２に接続され、第２および第３リンク１７３，１７４の第２端部は第１および第２アーム１３０に接続される。アーム１３０は互いに連結され、静止ピボット１３２を介してハウジングに連結される。【００６１】  使用時、モータ１４０の駆動軸１４２の回転がディスク１７０を回転させ、これにより、第１リンク１７１の第１端部が環状経路を追従し、滑動ピボット１７２が往復移動する。滑動ピボット１７２の移動が第２および第３のリンク装置１７３，１７４のそれぞれの第１端部を往復移動させ、これにより、アーム１３０が固定ピボット１３２を中心に回転しはさみのように往復運動をする。アーム１３０は固定ピボット１３２を中心に回転し、シャッター１２０をハウジング１００の開口部１０２内を往復運動するように移動させることにより、照明システムから発する光ビームの角度を連続的に増減させる。【００６２】  図２４から図２７に別の照明システムを示す。この照明システムはハウジング２１０内に光源２００を備える。光源は２４０Ｖ，７５Ｗのダイクロハロゲン電球を備える。光源２００の両側にはシャッター２２０が配置され、各シャッター２２０はアーム２２２を介してハウジング２１０内に収容された駆動機構に接続される。シャッター２２０は反射性のものでもよい。駆動機構は、ハウジング２１０に���するシャッター２２０の位置の角度を変えることができる。この駆動機構は時間をかけて表面２２０の位置を変えることができる。【００６３】  駆動機構は、４つの表面２３４〜３２７によって形成されるチャンバー２３２に収納される偏心カム２３０を備える。表面２３６および表面２３７にはピニオン２４０と噛合するラック２３８が設けられている。ピニオン２４０はアーム２２２と連結し、ハウジング２１０に回転可能に組み込まれている。偏心カムが回転すると、チャンバー２３２を区画する４つの表面２３４〜２３７は垂直方向に移動する。ラックの垂直運動はピニオンを自転させることにより、ハウジングに対するシャッター２２０の角度を変える。照明システムが図示する向きで設置されたと仮定した場合、カムの運動はラックの周期的な上下方向への動きを引き起こす。したがって、カムが回転すると、シャッター２２０は垂線に対して離間したり接近したりと周期的な運動で動く。両シャッター２２０は同一のカムにより駆動されるので、２つのシャッター２２０は共に一斉に動く。カムはモータにより駆動される。【００６４】  この駆動機構は、また、図１６に示す照明システムにも用いることもできる。【００６５】  図２４から図２７に示す実施形態において、光源２００からの光は外側に向かって全方向に放射されるが、シャッター２２０により遮断される。シャッターとハウジングの中心軸との間の角度が広がるにつれ、発するビームの角度も増す。シャッターとハウジングの中心軸との間の角度が狭まるにつれ、発するビームの角度も狭まる。【００６６】  本発明は一例として説明されたものであり、請求項により定義されるような発明の範囲内において細かい変更が可能であることは当然ながら理解されるはずである。
【産業上の利用可能性】
【００６７】  本発明の照明システムは、たとえば、テーブルランプ、フロアスタンド、壁付けランプ、シーリングライトや外部照明のあらゆるタイプの照明装置に組み込まれてもよい。
【符号の説明】
【００６８】１０  偏向器
１５  頂点
２０  リフレクター
２５  ファセット面
４０  カム
５０  光源
５５  パラボラリフレクター
６０  モータ
７５  リブ又はウェブ
８０  拡散器ディスク
１０２  開口部
１１０  光源
１２０  シャッター
１３０  アーム
１３２  軸、静止ピボット
１４０  モータ
１４２  区同軸
１４４  小さいベベルギア
１４６  大きいベベルギア
１５０  マイクロスイッチ
１５０ａ  第１スイッチ
１５０ｂ  第２スイッチ
１６０  フェライトプレート
２００  光源
２２０  シャッター
２２２  アーム
【図１】
2009539215.tif 000003
【図２】
2009539215.tif 000004
【図３】
2009539215.tif 000005
【図４】
2009539215.tif 000006
【図５】
2009539215.tif 000007
【図６】
2009539215.tif 000008
【図７】
2009539215.tif 000009
【図８】
2009539215.tif 000010
【図９】
2009539215.tif 000011
【図１０】
2009539215.tif 000012
【図１１】
2009539215.tif 000013
【図１２】
2009539215.tif 000014
【図１３】
2009539215.tif 000015
【図１４】
2009539215.tif 000016
【図１５】
2009539215.tif 000017
【図１６】
2009539215.tif 000018
【図１７】
2009539215.tif 000019
【図１８】
2009539215.tif 000020
【図１９】
2009539215.tif 000021
【図２０】
2009539215.tif 000022
【図２１】
2009539215.tif 000023
【図２２】
2009539215.tif 000024
【図２３】
2009539215.tif 000025
【図２４】
2009539215.tif 000026
【図２５】
2009539215.tif 000027
【図２６】
2009539215.tif 000028
【図２７】
2009539215.tif 000029
【国際調査報告】
2009539215.tif 000030
2009539215.tif 000031
2009539215.tif 000032
2009539215.tif 000033
2009539215.tif 000034